(57)【要約】      （修正有）【課題】被塗布部への化粧料の塗布を複数の棒状化粧料（以下芯と呼ぶ）により効率的に行い、塗布の際の芯折れを防ぎ、先筒先端を被塗布部から離し塗布しやすくし、被塗布部への塗布の際に眉毛等を梳くことができる棒状化粧料繰出容器を提供する。【解決手段】容器内で複数の芯Ｍを一列に並設支持した支持部４ａを進退させ、先筒１先端の開口１ｂから芯を出没可能とする。又、先筒先端の片側に前方へ突出し、芯が進退する溝部６ａを備えた突出部６を設け、突出部先端より前方へ位置する芯先端による被塗布部への塗布の際に、突出部が芯の背面側に位置し芯を溝部の内面６ｂで受け保護する。又、芯Ｍを突出部６により受けるため、突出部の長さ分、芯を開口から余分に繰出可能とし、先筒先端を被塗布部に接触しない程度に離間する。又、芯による被塗布部への塗布の際に、突出部の溝部同士間のスリット６ｃにより眉毛を梳くのを可能とする。【選択図】図３
2020058465.tif 000002
【特許請求の範囲】
【請求項１】
容器前部及び容器後部を備えた筒状の容器と、前記容器前部に対し軸線周りに回転不能且つ軸線方向に移動可能とされ、先端に棒状化粧料を支持可能な支持部を有すると共に外周部に雄螺子を備えた移動体と、前記容器前部に対し軸線周りに回転可能とされ、内周部に前記雄螺子に螺合する雌螺子を備えた雌螺子部材と、を具備し、前記容器前部と前記容器後部の相対回転によって、前記雄螺子及び前記雌螺子による螺合作用が働いて前記移動体が進退し前記棒状化粧料が前記容器前部の先端の開口から出没する棒状化粧料繰出容器であって、
前記支持部は、複数の前記棒状化粧料の後部を支持すると共に、複数の前記棒状化粧料を互いに離間した状態で一列に並設し、
前記容器前部は、複数の前記棒状化粧料が進退する棒状化粧料孔を含み、複数の前記棒状化粧料及び前記支持部が進退する進退孔を備え、
前記開口は、複数の前記棒状化粧料孔に対応して設けられ、
前記容器前部の先端で、複数の前記棒状化粧料の並設方向に直交する方向の片側には、前方へ突出する突出部が設けられ、
前記突出部は、前記開口から出没する前記棒状化粧料の進退を可能とする溝部をそれぞれの前記棒状化粧料に対応して備え、
前記突出部の先端より前方へ位置する複数の前記棒状化粧料によって被塗布部を塗布する状態では、前記突出部は、複数の前記棒状化粧料を間に介し前記被塗布部とは反対側に位置すると共に、複数の前記棒状化粧料は、それぞれ進入している前記溝部の内面に各々当接し、
前記突出部の前記溝部同士の間には、前記突出部の先端から後方へ向かって延在し、前記突出部を厚み方向に貫通するスリットが設けられていることを特徴とする棒状化粧料繰出容器。
【請求項２】
前記突出部は、前記容器前部の先端に、隙間を介して一対が対向して設けられていることを特徴とする請求項１記載の棒状化粧料繰出容器。
【請求項３】
容器前部及び容器後部を備えた筒状の容器と、前記容器前部に対し軸線周りに回転不能且つ軸線方向に移動可能とされ、先端に棒状化粧料を支持可能な支持部を有すると共に外周部に雄螺子を備えた移動体と、前記容器前部に対し軸線周りに回転可能とされ、内周部に前記雄螺子に螺合する雌螺子を備えた雌螺子部材と、を具備し、前記容器前部と前記容器後部の相対回転によって、前記雄螺子及び前記雌螺子による螺合作用が働いて前記移動体が進退し前記棒状化粧料が前記容器前部の先端の開口から出没する棒状化粧料繰出容器であって、
前記支持部は、複数の前記棒状化粧料の後部を支持すると共に、複数の前記棒状化粧料を互いに離間した状態で一列に並設し、
前記容器前部は、複数の前記棒状化粧料が進退する棒状化粧料孔を含み、複数の前記棒状化粧料及び前記支持部が進退する進退孔を備え、
前記開口は、複数の前記棒状化粧料孔に対応して設けられ、
前記容器前部の先端で、複数の前記棒状化粧料の並設方向に直交する方向の片側には、前方へ突出する突出部が設けられ、
前記突出部は、前記開口から出没する前記棒状化粧料の進退を可能とする溝部をそれぞれの前記棒状化粧料に対応して備え、
前記突出部の先端より前方へ位置する複数の前記棒状化粧料によって被塗布部を塗布する状態では、前記突出部は、複数の前記棒状化粧料を間に介し前記被塗布部とは反対側に位置すると共に、複数の前記棒状化粧料は、それぞれ進入している前記溝部の内面に各々当接し、
前記突出部の前記溝部同士の間には、前記突出部の先端から後方へ向かって延在し、前記溝部に進入した前記棒状化粧料の高さ以上に突出する凸部が設けられていることを特徴とする棒状化粧料繰出容器。
【請求項４】
前記棒状化粧料は、アイブロウであることを特徴とする請求項１〜３の何れか一項に記載の棒状化粧料繰出容器。
【発明の詳細な説明】
【技術分野】
【０００１】
本発明は、棒状化粧料を出没可能とする棒状化粧料繰出容器に関する。
【背景技術】
【０００２】
従来、棒状化粧料繰出容器として、以下の特許文献１に記載のものが広く知られている。この特許文献１に記載の棒状化粧料繰出容器は、所謂化粧料ペンシルであり、容器内に棒状化粧料を収容し、必要に応じて、使用者が棒状化粧料を容器先端の開口から出没可能とし使用に供し得るものである。このような棒状化粧料繰出容器では、例えば眉毛のような被塗布部（地肌）に化粧料を塗布する際に、棒状化粧料が細いと何回も塗布する必要があり時間かかり非効率であるという問題がある。一方、太い棒状化粧料であると、広い範囲にべったりと化粧料が付着しまい、細かく繊細な化粧を施せないという問題がある。
【０００３】
上記のような化粧に対応する化粧料塗布具として、以下の特許文献２に記載のように、容器内の液状化粧料を繊維質の芯材を通して先端に送り出し、芯材先端で眉毛（地肌）に塗布するものが知られている。この引用文献２にあっては、芯材の先端に切り込みが入っていて当該先端が例えば鋸歯状を呈している。この引用文献２にあっては、芯材の先端が歯状を成すように分かれているため、細やかで繊細な化粧が可能であると共に、複数歯を用いることにより効率的に塗布ができ、加えて、歯状のため、眉毛を梳きながら化粧もできるとされている。
【先行技術文献】
【特許文献】
【０００４】
【特許文献１】実開昭６４−８３１７
【特許文献２】実用新案登録第３１９６６２１号
【発明の概要】
【発明が解決しようとする課題】
【０００５】
しかしながら、特許文献２に記載の液状化粧料を用いた化粧料塗布具にあっては、上記のように優れた点を有する反面、下地用のファンデーション等の後に、液状化粧料を芯材先端により塗ることになるため、ファンデーション等の化粧料が繊維質の間に入り、使用しているうちに芯材が目詰まりを起こし、液状化粧料を塗布する際にかすれて被塗布部（地肌）にうまく塗布できないという問題が生じていた。すなわち、引用文献２の化粧料塗布具では、液状化粧品を眉毛にうまく塗布できないという問題があった。
【０００６】
そこで、本発明は、眉毛を始めとした被塗布部（地肌）に化粧料を塗布する際に、効率的に化粧料を塗布できると共に、選択的に細やかな化粧を施すことも可能であり、しかも、化粧料の目詰まり等がなく化粧料がかすれずに常時良好に塗布でき、加えて、棒状化粧料を被塗布部に塗布する際にあたって、当該棒状化粧料の芯折れを防ぎ、且つ、容器前部の先端を被塗布部に接触しない程度に離間でき塗布をしやすくし、且つ、特に眉毛を始めとした睫毛等の毛髪（人の毛の総称）を梳くことができる棒状化粧料繰出容器を提供することを目的とする。
【課題を解決するための手段】
【０００７】
本発明による棒状化粧料繰出容器は、容器前部及び容器後部を備えた筒状の容器と、容器前部に対し軸線周りに回転不能且つ軸線方向に移動可能とされ、先端に棒状化粧料を支持可能な支持部を有すると共に外周部に雄螺子を備えた移動体と、容器前部に対し軸線周りに回転可能とされ、内周部に雄螺子に螺合する雌螺子を備えた雌螺子部材と、を具備し、容器前部と容器後部の相対回転によって、雄螺子及び雌螺子による螺合作用が働いて移動体が進退し棒状化粧料が容器前部の先端の開口から出没する棒状化粧料繰出容器であって、支持部は、複数の棒状化粧料の後部を支持すると共に、複数の棒状化粧料を互いに離間した状態で一列に並設し、容器前部は、複数の棒状化粧料が進退する棒状化粧料孔を含み、複数の棒状化粧料及び支持部が進退する進退孔を備え、開口は、複数の棒状化粧料孔に対応して設けられ、容器前部の先端で、複数の棒状化粧料の並設方向に直交する方向の片側には、前方へ突出する突出部が設けられ、突出部は、開口から出没する棒状化粧料の進退を可能とする溝部をそれぞれの棒状化粧料に対応して備え、突出部の先端より前方へ位置する複数の棒状化粧料によって被塗布部を塗布する状態では、突出部は、複数の棒状化粧料を間に介し被塗布部とは反対側に位置すると共に、複数の棒状化粧料は、それぞれ進入している溝部の内面に各々当接し、突出部の溝部同士の間には、突出部の先端から後方へ向かって延在し、突出部を厚み方向に貫通するスリットが設けられていることを特徴としている。
【０００８】
このような棒状化粧料繰出容器によれば、容器内に、支持部により複数本の棒状化粧料が一列に並設支持されると共に、当該複数本の棒状化粧料は支持部と共に軸線方向に同時に進退し、容器前部の先端の開口から複数本の棒状化粧料が出没可能とされ、塗布に供される。従って、眉毛を始めとした被塗布部（地肌）に化粧料を塗布する際に、複数本の棒状化粧料により効率的に化粧料を塗布できると共に、例えば１本の棒状化粧料により選択的に細やかな化粧を施すこともでき、しかも、液状化粧料のような化粧料の目詰まり等がなく化粧料がかすれずに常時良好に塗布でき、加えて、複数本の棒状化粧料を有しているにもかかわらず、持ち運びが便利であり、且つ、複数本の棒状化粧料の繰り出し／繰り戻しができ使い勝手が良い棒状化粧料繰出容器を提供できる。さらに、容器前部の先端において複数の棒状化粧料の並設方向に直交する方向の片側に前方へ突出し、開口から出没する棒状化粧料の進退を可能とする溝部を備えた突出部は、当該突出部の先端より前方へ位置する複数の棒状化粧料によって被塗布部を塗布する場合、複数の棒状化粧料を間に介し被塗布部とは反対側に位置した状態での使用となるため、複数の棒状化粧料は、それぞれが進入している突出部の溝部の内面に当接し受けられ保護されることになり、棒状化粧料の芯折れを防ぐことができる。また、複数の棒状化粧料によって被塗布部を塗布する際に、上記のように複数の棒状化粧料は突出部により受けられ保護されるため、突出部の突出長さ分、複数の棒状化粧料を開口から余分に繰り出すことができ、その結果、容器前部の先端を被塗布部に接触しない程度に離間する（斜めに浮かす）ことができ、塗布がしやすくなる。なお、容器前部に突出部がない場合には、芯折れを防ぐべく、塗布の際に容器前部の開口から棒状化粧料を少量しか突出できず、容器前部の先端と被塗布部が近接して接触し、塗布がし難くなる。また、複数の棒状化粧料で眉毛を始めとした被塗布部（地肌）に化粧料を塗布しながら、突出部の溝部同士の間において当該突出部の先端から後方へ向かって延在し、当該突出部を厚み方向に貫通するスリットによって、眉毛を始めとした睫毛等の毛髪（人の毛の総称）を梳くことができる。すなわち、複数本の棒状化粧料で被塗布部（地肌）に化粧料を塗布しながら、櫛の役目を果たすスリットにより毛髪を梳くことができる。
【０００９】
ここで、突出部は、容器前部の先端に、隙間を介して一対が対向して設けられているのが好ましい。このような構成を採用した場合、塗布の際に、何れの突出部が、複数の棒状化粧料を間に介し被塗布部とは反対側に位置していても良いため、塗布時に表裏がなく、複数本の棒状化粧料で被塗布部（地肌）に化粧料を塗布しながら、被塗布部側とは反対側の突出部のスリットにより毛髪を梳くことができ、使い勝手が良い。
【００１０】
また、本発明による棒状化粧料繰出容器は、容器前部及び容器後部を備えた筒状の容器と、容器前部に対し軸線周りに回転不能且つ軸線方向に移動可能とされ、先端に棒状化粧料を支持可能な支持部を有すると共に外周部に雄螺子を備えた移動体と、容器前部に対し軸線周りに回転可能とされ、内周部に雄螺子に螺合する雌螺子を備えた雌螺子部材と、を具備し、容器前部と容器後部の相対回転によって、雄螺子及び雌螺子による螺合作用が働いて移動体が進退し棒状化粧料が容器前部の先端の開口から出没する棒状化粧料繰出容器であって、支持部は、複数の棒状化粧料の後部を支持すると共に、複数の棒状化粧料を互いに離間した状態で一列に並設し、容器前部は、複数の棒状化粧料が進退する棒状化粧料孔を含み、複数の棒状化粧料及び支持部が進退する進退孔を備え、開口は、複数の棒状化粧料孔に対応して設けられ、容器前部の先端で、複数の棒状化粧料の並設方向に直交する方向の片側には、前方へ突出する突出部が設けられ、突出部は、開口から出没する棒状化粧料の進退を可能とする溝部をそれぞれの棒状化粧料に対応して備え、突出部の先端より前方へ位置する複数の棒状化粧料によって被塗布部を塗布する状態では、突出部は、複数の棒状化粧料を間に介し被塗布部とは反対側に位置すると共に、複数の棒状化粧料は、それぞれ進入している溝部の内面に各々当接し、突出部の溝部同士の間には、突出部の先端から後方へ向かって延在し、溝部に進入した棒状化粧料の高さ以上に突出する凸部が設けられていることを特徴としている。
【００１１】
このような棒状化粧料繰出容器によれば、容器内に、支持部により複数本の棒状化粧料が一列に並設支持されると共に、当該複数本の棒状化粧料は支持部と共に軸線方向に同時に進退し、容器前部の先端の開口から複数本の棒状化粧料が出没可能とされ、塗布に供される。従って、眉毛を始めとした被塗布部（地肌）に化粧料を塗布する際に、複数本の棒状化粧料により効率的に化粧料を塗布できると共に、例えば１本の棒状化粧料により選択的に細やかな化粧を施すこともでき、しかも、液状化粧料のような化粧料の目詰まり等がなく化粧料がかすれずに常時良好に塗布でき、加えて、複数本の棒状化粧料を有しているにもかかわらず、持ち運びが便利であり、且つ、複数本の棒状化粧料の繰り出し／繰り戻しができ使い勝手が良い棒状化粧料繰出容器を提供できる。さらに、容器前部の先端において複数の棒状化粧料の並設方向に直交する方向の片側に前方へ突出し、開口から出没する棒状化粧料の進退を可能とする溝部を備えた突出部は、当該突出部の先端より前方へ位置する複数の棒状化粧料によって被塗布部を塗布する場合、複数の棒状化粧料を間に介し被塗布部とは反対側に位置した状態での使用となるため、複数の棒状化粧料は、それぞれが進入している突出部の溝部の内面に当接し受けられ保護されることになり、棒状化粧料の芯折れを防ぐことができる。また、複数の棒状化粧料によって被塗布部を塗布する際に、上記のように複数の棒状化粧料は突出部により受けられ保護されるため、突出部の突出長さ分、複数の棒状化粧料を開口から余分に繰り出すことができ、その結果、容器前部の先端を被塗布部に接触しない程度に離間する（斜めに浮かす）ことができ、塗布がしやすくなる。なお、容器前部に突出部がない場合には、芯折れを防ぐべく、塗布の際に容器前部の開口から棒状化粧料を少量しか突出できず、容器前部の先端と被塗布部が近接して接触し、塗布がし難くなる。また、突出部の溝部同士の間において当該突出部の先端から後方へ向かって延在し、溝部に進入した棒状化粧料の高さ以上に突出する凸部によって、眉毛を始めとした睫毛等の毛髪（人の毛の総称）を分け梳きながら、複数の棒状化粧料で眉毛を始めとした被塗布部（地肌）に化粧料を塗布することができる。すなわち、櫛の役目を果たす凸部により毛髪を分け梳きながら、複数本の棒状化粧料で被塗布部（地肌）に化粧料を塗布できる。
【００１２】
ここで、１本の細いアイブロウで眉毛に化粧を施す場合には、眉毛全体に化粧を施すのに時間を要し、１本の太いアイブロウで眉毛に化粧を施す場合には、塗り潰したような感じになってしまい、細かい繊細な化粧を施すのに技術及び時間を要する。しかしながら、本発明によれば、複数本のアイブロウを同時に使用できるため、眉毛に自然に抜けている感じの塗布隙間を容易に生じせしめることができ、眉毛に自然感を出しつつ繊細且つ綺麗な塗布を短時間で行うことができる。
【発明の効果】
【００１３】
このように本発明によれば、眉毛を始めとした被塗布部（地肌）に化粧料を塗布する際に、複数本の棒状化粧料により効率的に化粧料を塗布できると共に、例えば１本の棒状化粧料により選択的に細やかな化粧を施すこともでき、しかも、液状化粧料のような化粧料の目詰まり等がなく化粧料がかすれずに常時良好に塗布でき、加えて、複数本の棒状化粧料を有しているにもかかわらず、持ち運びが便利であり、且つ、複数の棒状化粧料の繰り出し／繰り戻しができ使い勝手が良い棒状化粧料繰出容器を提供できる。また、同時に、棒状化粧料を被塗布部に塗布する際にあたって、当該棒状化粧料の芯折れを防ぎ、且つ、容器前部の先端を被塗布部に接触しない程度に離間でき塗布をしやすくし、且つ、特に眉毛を始めとした睫毛等の毛髪（人の毛の総称）を梳くことができる棒状化粧料繰出容器を提供できる。
【図面の簡単な説明】
【００１４】
【図１】本発明の第１実施形態に係る棒状化粧料繰出容器の縦断面図であり、移動体が後退限に位置した状態を示す図である。
【図２】図１に直交する方向の棒状化粧料繰出容器の縦断面図であり、移動体が前進限に位置した状態を示す図である。
【図３】棒状化粧料繰出容器の先端側を破断して示す斜視図である。
【図４】先筒及び移動体の要部を示す分解斜視図である。
【図５】移動体の要部を示す斜視図である。
【図６】支持部の正面図である。
【図７】図２のVII-VII線に沿う横断面図であり、先筒内の進退孔を示す図である。
【図８】先筒の突出部の斜視図である。
【図９】先筒の突出部の平面図である。
【図１０】先筒を使用時に正面から見た図であり、突出部の位置で切った横断面図である。
【図１１】突出部から突出する棒状化粧料を被塗布部に塗布する際の動作説明図である。
【図１２】突出部がない場合に棒状化粧料を被塗布部に塗布する際の動作説明図である。
【図１３】本発明の第２実施形態に係る棒状化粧料繰出容器の先筒の突出部の斜視図である。
【図１４】図１３に示す突出部の平面図である。
【図１５】図１３及び図１４に示す先筒を使用時に正面から見た図であり、突出部の位置で切った横断面図である。
【図１６】第２実施形態において突出部から突出する棒状化粧料を被塗布部に塗布する際の動作説明図である。
【図１７】本発明の第３実施形態に係る棒状化粧料繰出容器の先筒の突出部の斜視図である。
【図１８】図１７に示す突出部の平面図である。
【図１９】図１７及び図１８に示す先筒を使用時に正面から見た図であり、突出部の位置で切った横断面図である。
【発明を実施するための形態】
【００１５】
以下、本発明による棒状化粧料繰出容器の好適な実施形態について図１〜図１９を参照しながら説明する。図１〜図１２は、本発明の第１実施形態を、図１３〜図１６は、本発明の第２実施形態を、図１７〜図１９は、本発明の第３実施形態を各々示すものであり、各図において、同一の要素には同一の符号を付し、重複する説明は省略する。
【００１６】
先ず、図１〜図１２に示す第１実施形態を説明する。図１は、本発明の第１実施形態に係る棒状化粧料繰出容器の縦断面図であり、移動体が後退限に位置した状態を示す図、図２は、図１に直交する方向の棒状化粧料繰出容器の縦断面図であり、移動体が前進限に位置した状態を示す図、図３は、棒状化粧料繰出容器の先端側を破断して示す斜視図、図４は、先筒及び移動体の要部を示す分解斜視図、図５は、移動体の要部を示す斜視図、図６は、支持部の正面図、図７は、図２のVII-VII線に沿う横断面図であり、先筒内の進退孔を示す図、図８及び図９は、先筒の突出部を示す各図、図１０は、先筒を使用時に正面から見た図であり、突出部の位置で切った横断面図、図１１は、突出部から突出する棒状化粧料を被塗布部に塗布する際の動作説明図、図１２は、突出部がない場合に棒状化粧料を被塗布部に塗布する際の動作説明図である。
【００１７】
本実施形態の棒状化粧料繰出容器は、内部に収容した複数本の棒状化粧料を使用者により適宜被塗布部に塗布することができるものである。棒状化粧料Ｍは、ここでは、特に好適であるとして、眉毛を描くための円柱状のアイブロウとされている。
【００１８】
図１及び図２に示すように、棒状化粧料繰出容器１００は、全体形状が筆記具の如き細長い丸棒状を呈するものであり、容器前部を構成する先筒１と、容器後部を構成するホルダ筒２と、により外観が構成された筒状容器である。これらの先筒１及びホルダ筒２内には、容器前部を構成する継ぎ具３と、棒状化粧料Ｍと、棒状化粧料Ｍを支持すると共に雄螺子４ｉを含む移動体である長尺な棒状化粧料支持体４と、雌螺子５ｉを含む雌螺子部材５と、が収容される。そして、棒状化粧料繰出容器１００は、内部において、先筒１の後半部とホルダ筒２の前半部との間に、前から後へ向かって、継ぎ具３、雌螺子部材５を挟むように構成されている。また、先筒１の先端の片側（図２の下側）には、前方に突出する突出部６が設けられている。
【００１９】
特に、本実施形態では、棒状化粧料Ｍは複数本（ここでは３本）が先筒１内に収容されており、棒状化粧料支持体４の先端側に複数本の棒状化粧料Ｍが取り付け支持され、先筒１から出没可能とされている。なお、ここでは、特に好ましいとして棒状化粧料Ｍを３本としているが、２本以上であれば適用できる。また、棒状化粧料Ｍは、ここでは、直径約０．９ｍｍ程度の細い棒状化粧料Ｍが採用されている。
【００２０】
以下、棒状化粧料繰出容器１００の特徴を詳説する。
【００２１】
ホルダ筒２は、例えばＡＢＳ等から形成され、使用者は指で持って塗布に供すべく長尺な有底円筒状を呈する。継ぎ具３は、例えばＡＢＳ等から形成されて略円筒状を呈し、先筒１とホルダ筒２とに亘って収容される。雌螺子部材５は、例えばＰＥ等から形成されて略円筒状を呈し、軸線方向中程の内周部には、雌螺子としての螺合突起５ｉ，５ｉが対向して設けられる。
【００２２】
そして、ホルダ筒２内に、雌螺子部材５、継ぎ具３が内挿され、ホルダ筒２の先端側の内周面に設けられた係合部２ａが、継ぎ具３の軸線方向中程の外周面に設けられた係合部３ａに軸線方向に係合することにより、継ぎ具３は、ホルダ筒２に軸線周りに回転可能且つ軸線方向に移動不能に装着される。雌螺子部材５は、ホルダ筒２の内周面に設けられた段差面２ｂと継ぎ具３の後端面との間に挟まれるようにして、雌螺子部材５の外周面に設けられた係合部５ａが、ホルダ筒２の軸線方向中程の内周面に設けられた係合部２ｃに回転方向に係合することにより、ホルダ筒２に軸線周りに回転不能（同期回転可能）に装着される。
【００２３】
先筒１は、例えばＡＢＳ等から形成され、先細りの円筒状を呈する。先筒１の後部筒内に、継ぎ具３のホルダ筒２から前方へ突出する先端部が進入し、先筒１の後部側の内周面に設けられた係合部１ａが、継ぎ具３の先端部の外周面に設けられた係合部３ｂに嵌合することにより、継ぎ具３は、先筒１に軸線周りに回転不能且つ軸線方向に移動不能に装着され一体化されている。
【００２４】
容器内を進退する棒状化粧料支持体４は、複数本の棒状化粧料Ｍの後端部を支持するための支持部４ａ（図４及び図５も参照）と、支持部４ａより後側の軸体部４ｂと、を備える。軸体部４ｂは、軸線方向に延在する軸体であり、支持部４ａに連結された連結軸部４ｆと、連結軸部４ｆの後部に連設された回り止め部４ｇと、回り止め部４ｇから後方へ延在し外周部に設けられた雄螺子４ｉと、を有する。雄螺子４ｉは、例えばＰＯＭ等から形成され、当該雄螺子４ｉより前側の回り止め部４ｇに圧入固定される。また、棒状化粧料支持体４の雄螺子４ｉより前側の部分は、例えばＰＢＴ等から形成される。
【００２５】
支持部４ａは、図１、図２及び図６に示すように、その外形が棒状化粧料Ｍの外形に略一致する円形断面を成して軸線方向に短尺に延び、棒状化粧料Ｍの後端面を突き当てるための円柱状の基部４ｄを備える。
【００２６】
基部４ｄは、ここでは３個が離間して一列に並設され、互いの基部４ｄ同士は、基部４ｄと軸線方向長が同じで基部４ｄより多少幅狭（図６の上下方向幅が幅狭）の略直方体形状の連結部４ｅにより互いに連結されている。
【００２７】
これらの基部４ｄの外周面であって、基部４ｄの周方向に離間する略４等配の位置には、棒状化粧料Ｍを支持するためのブロック状の支持片４ｃ，１４ｃ（支持片４ｃ，１４ｃの区分けは後述）が基部４ｄの外周面から軸線方向前方へ延びるように設けられている（図５も参照）。支持片４ｃ，１４ｃは、基部４ｄから前方に突出するように延びている。支持片４ｃ，１４ｃの内周面は、棒状化粧料Ｍの外周面の一部に合致する円弧状を呈し、棒状化粧料Ｍを支持する支持片面４ｊ（図６参照）として機能する。
【００２８】
ここで、３個の基部４ｄを横方向に並設した図６に示す状態を基準として説明すると、左右両側の基部４ｄにあっては、それぞれ外側位置で、４５°上方へ向かう位置と４５°下方へ向かう位置に、略直方体形状を成しその基部側が基部４ｄの外面に連結されて前方へ延びる支持片４ｃがそれぞれ設けられている。この支持片４ｃの内側の円弧状の支持片面４ｊが棒状化粧料Ｍの外周面を支持する。
【００２９】
一方の片側（例えば左側）の基部４ｄと中央の基部４ｄ同士の間の上部にあっては、略正五角形状を成しその基部側が、隣接する基部４ｄ，４ｄの上部の外面、及び、連結部４ｅの上面に連結されて前方へ延びる支持片１４ｃが設けられる。同様に、他方の片側（例えば右側）の基部４ｄと中央の基部４ｄ同士の間の上部にも支持片１４ｃが設けられる。この１個の支持片１４ｃの内側の一方の円弧状の支持片面４ｊが一の棒状化粧料Ｍの外周面を支持し、支持片１４ｃの内側の他方の円弧状の支持片面４ｊが他の棒状化粧料Ｍの外周面を支持する。
【００３０】
また、一方の片側の基部４ｄと中央の基部４ｄ同士の間の下部にあっては、略正五角形状を逆さにした形状を成しその基部側が、隣接する基部４ｄ，４ｄの下部の外面、及び、連結部４ｅの下面に連結されて前方へ延びる支持片１４ｃが設けられる。同様に、他方の片側の基部４ｄと中央の基部４ｄ同士の間の下部にも支持片１４ｃが設けられる。この１個の支持片１４ｃの内側の一方の円弧状の支持片面４ｊが一の棒状化粧料Ｍの外周面を支持し、支持片１４ｃの内側の他方の円弧状の支持片面４ｊが他の棒状化粧料Ｍの外周面を支持する。
【００３１】
そして、これらの周方向に並設された支持片４ｃ，１４ｃにより、基部４ｄに突き当てられた棒状化粧料Ｍの後端部の外周面を、相互間に挟んで支持する。すなわち、複数本の棒状化粧料Ｍが、支持体４の支持片４ｃ，１４ｃにより同時に支持される。
【００３２】
なお、支持片４ｃ，１４ｃの先端の円弧状の内周面側には、棒状化粧料Ｍを押し込む際の案内面として機能する面取りＣ（図５及び図６参照）が施されている、また、図６に示す支持片面４ｊの内周面に、軸線方向に延びるリブ（爪）を立設し当該リブに棒状化粧料Ｍをめり込ませ密着力を高めるようにしても良い。
【００３３】
図１、図２、図４及び図５に示すように、支持部４ａに続く連結軸部４ｆは長尺に構成され、これに続く回り止め部４ｇの後端部には、凸状の回転係合部４ｈ，４ｈが対向して突設される。回転係合部４ｈは、図２に示すように、継ぎ具３の内周面に軸線方向に延びるように設けられた長溝３ｃ内に進入し、軸線方向に移動可能且つ軸線周りに回転不能に連結され、螺合作用時の回り止めとして機能する。また、長溝３ｃの先端面に回転係合部４ｈが突き当たった図２に示す位置が、棒状化粧料支持体４の前進限とされる。
【００３４】
図１〜図４及び図１０に示すように、先筒１には、先端の開口１ｂから後方へ向かって延びて先筒１を貫通し棒状化粧料Ｍが摺動する棒状化粧料孔１ｃが３個並設されている。開口１ｂは、ここでは、３個に分割されず、棒状化粧料孔１ｃ同士間に、約０．２ｍｍの隙間を持って繋がっている。なお、開口１ｂを構成する棒状化粧料孔１ｃは、各々が繋がっておらず分けられていても良く、要は、棒状化粧料Ｍ同士が接触しなければ良い。この棒状化粧料孔１ｃには、支持部４ａの基部４ｄも進退する。
【００３５】
先筒１には、図１、図３及び図７に示すように、棒状化粧料孔１ｃの先端近傍から連設され、複数の支持片４ｃが進退する支持片溝１ｄ及び複数の支持片１４ｃが進退する支持片溝１１ｄ、図６に示す連結部４ｅが進退する連結部孔１ｍが形成され、ここでは、支持片溝１ｄ，１１ｄ及び連結部孔１ｍより、支持部４ａが進退するための支持部孔１ｎが形成され、支持部孔１ｎ及び棒状化粧料孔１ｃにより、棒状化粧料Ｍ及び支持部４ａが進退する図７に示す進退孔１ｒの形状が形成されている。すなわち、先筒１には、複数本の棒状化粧料Ｍが進退する棒状化粧料孔１ｃを含み、複数本の棒状化粧料Ｍ及び支持部４ａが進退する進退孔１ｒが形成されている。棒状化粧料孔１ｃは、先筒１の先端から形成されているが、支持部孔１ｎは、先筒１の先端近傍から、支持部４ａが軸線方向に進退する進退範囲内である継ぎ具３の先端部内まで形成されている（図１参照）。
【００３６】
突出部６は、図１〜図４に示すように、先筒１の先端の片側、具体的には、複数本の棒状化粧料Ｍの並設方向に直交する方向の片側（図１の紙面奥側、図２〜図４の下側）に、先筒１の先端の外面に連設され前方へ突出するように設けられている。突出部６は、ここでは、先筒１の先端を軸線方向後方へ沿って切り欠く（削り取る）ことにより、形成されているが、一体成形や、先筒１の先端の片側に連結する構成であっても良い。
【００３７】
突出部６には、その切欠面側（図１の紙面手前側、図２〜図４の上側）に、開口１ｂから繰り出され繰り戻されて出没する棒状化粧料Ｍの進退を可能とする溝部６ａが、図４、図８及び図９に示すように、それぞれの棒状化粧料孔１ｃに対応し軸線方向に延びるように凹設されている。この溝部６ａは、棒状化粧料孔１ｃに繋がるように設けられている。
【００３８】
溝部６ａは、棒状化粧料Ｍの形状に沿った溝であり、略半円状の内面（凹面）６ｂを有している（図３、図１０参照）。これは、棒状化粧料Ｍの被塗布部への塗布の際に棒状化粧料Ｍの外面を溝部６ａの内面６ｂで受けるためである（詳しくは後述）。この溝部６ａの略半円状の内面（凹面）６ｂと、開口１ｂを通して繰り出された棒状化粧料Ｍの外面との間には、微小隙間が設けられている。この微小隙間は、溝部６ａの略半円状の内面６ｂと棒状化粧料Ｍの外面とが限りなく近接する隙間である。
【００３９】
また、図８及び図９に示すように、突出部６の溝部６ａ，６ａ同士の間には、突出部６の先端から後方へ向かって延在し、突出部６を厚み方向に貫通するスリット６ｃがそれぞれ設けられている。このスリット６ｃは、眉毛Ｈ（図１１参照）を梳くためのものである（詳しくは後述）。
【００４０】
そして、上記突出部６を有する容器の組立後に、棒状化粧料Ｍを、突出部６の溝部６ａをそれぞれ通るようにして先筒１の先端側から各々棒状化粧料孔１ｃに差し込み、図１に示す棒状化粧料繰出容器１００を得る。なお、先筒１と継ぎ具３は、ここでは、肉ひけを抑止すべく、分割製造され連結されて一体化されているが、先筒１及び継ぎ具３は、一体成形品であっても良い。
【００４１】
このような棒状化粧料繰出容器１００を用い、使用者により先筒１とホルダ筒２とが一方向である繰り出し方向に相対回転（回転操作）されると、棒状化粧料支持体４の雄螺子４ｉ及び雌螺子部材５の螺合突起５ｉ，５ｉによる螺合作用が働き、棒状化粧料支持体４が前進し、複数本の棒状化粧料Ｍが先筒１の先端の開口１ｂから同時に出現する。使用者は、さらなる相対回転により、複数本の棒状化粧料Ｍを突出部６の先端から塗布に最適な長さ分、前方へ繰り出す。このように突出部６の先端から前方へ突出し塗布に供されるための棒状化粧料Ｍの部分を棒状化粧料Ｍ１（図１１参照）と呼ぶ。
【００４２】
次いで、複数本の棒状化粧料Ｍを塗布するにあたっては、図１０及び図１１に示すように、使用者は、棒状化粧料繰出容器１００を、その突出部６が、複数本の棒状化粧料Ｍを間に介し被塗布部である眉毛Ｈの地肌Ｓとは反対側（図１０及び図１１の上側）に位置するようにして、図１１に示すように、斜めする。次いで、使用者は、突出部６の先端から前方へ突出している棒状化粧料Ｍ１を、眉毛Ｈの地肌Ｓに押し当てて塗布する。
【００４３】
このとき、棒状化粧料Ｍに対しては、押圧方向とは反対方向（図１１の上方）に反力が作用するが、棒状化粧料Ｍは、それぞれ進入している溝部６ａの内面６ｂに各々当接し折れないように受けられる。
【００４４】
そして、棒状化粧料Ｍ１を被塗布部である眉毛Ｈの地肌Ｓに押し付け化粧料を塗布しながら、棒状化粧料繰出容器１００を引くように（ずらして）移動させていくと、スリット６ｃに眉毛Ｈが進入し、当該スリット６ｃによって眉毛Ｈを梳くことができる。
【００４５】
このようにして同時に複数本の棒状化粧料Ｍによる塗布が終了したら、使用者により、先筒１とホルダ筒２とが一方向の反対方向である繰り戻し方向に相対回転（回転操作）されて、棒状化粧料支持体４が後退し、複数本の棒状化粧料Ｍが同時に繰り戻され、先筒１の先端の開口１ｂから没入する。
【００４６】
このように、本実施形態の棒状化粧料繰出容器１００によれば、容器内に、支持部４ａに設けられた複数の支持片４ｃ，１４ｃにより複数本の棒状化粧料Ｍが並設支持されると共に、当該複数本の棒状化粧料Ｍは支持部４ａと共に軸線方向に同時に進退し、先筒１の先端の開口１ｂから複数本の棒状化粧料Ｍが出没可能とされ、突出部６を通して塗布に供されるようになっている。従って、塗布部である眉毛Ｈの地肌Ｓに化粧料を塗布する際に、複数本の棒状化粧料Ｍにより効率的に化粧料を塗布できると共に、例えば１本の棒状化粧料Ｍにより選択的に細やかな化粧を施すこともでき、しかも、液状化粧料のような化粧料の目詰まり等がなく化粧料がかすれずに常時良好に塗布でき、加えて、複数本の棒状化粧料Ｍを有しているにもかかわらず、持ち運びが便利であり、且つ、複数本の棒状化粧料Ｍの繰り出し／繰り戻しができ使い勝手が良い棒状化粧料繰出容器１００を提供できる。
【００４７】
特に、本実施形態によれば、先筒１の先端において複数本の棒状化粧料Ｍの並設方向に直交する方向の片側に、前方へ突出する突出部６を備え、突出部６は、開口１ｂから出没する複数本の棒状化粧料Ｍの進退を可能とする溝部６ａをそれぞれ有しており、突出部６の先端より前方へ位置する複数の棒状化粧料Ｍ１によって被塗布部である眉毛Ｈの地肌Ｓに塗布する場合にあっては、突出部６は、複数の棒状化粧料Ｍを間に介し被塗布部である眉毛Ｈの地肌Ｓとは反対側に位置した状態での使用となるため、複数の棒状化粧料Ｍは、それぞれが進入している突出部６の溝部６ａの内面６ｂに当接し受けられ保護されることになり、棒状化粧料Ｍの芯折れを防ぐことができる。なお、棒状化粧料Ｍは、突出部６の溝部６ａの略半円状の内面６ｂにより受けられるため、横ぶれ（図１０の左右方向のぶれ）にも強くなっている。
【００４８】
また、特に本実施形態によれば、複数の棒状化粧料Ｍによって被塗布部である眉毛Ｈの地肌Ｓを塗布する際に、上記のように複数の棒状化粧料Ｍは突出部６により受けられ保護されるため、図１１に示すように、突出部６の突出長さ分Ｌ、複数の棒状化粧料Ｍを開口１ｂから余分に繰り出すことができる。その結果、先筒１の先端を被塗布部である眉毛Ｈの地肌Ｓに接触しない程度に離間する（斜めに浮かす）ことができ、塗布がしやすくなる。
【００４９】
なお、図１２に示すように、先筒１の先端に突出部６がない場合には、塗布の際に、棒状化粧料Ｍを開口１ｂから突出させ過ぎると、芯折れが生じてしまうため、芯折れを防ぐべく、先筒１の先端の開口１ｂから棒状化粧料Ｍを少量しか突出できず、先筒１の先端と被塗布部である眉毛Ｈの地肌Ｓが近接して接触し、塗布がし難くなるという問題があるが、本実施形態では、前述したように、突出部６を設け、先筒１の先端が地肌Ｓから離れるようにしているため、塗布がし難いというような問題は解消されている。
【００５０】
また、特に本実施形態によれば、突出部６の溝部６ａ，６ａ同士の間に、図１１に示すように、当該突出部６の先端から後方へ向かって延在し、当該突出部６を厚み方向に貫通するスリット６ｃを設けているため、複数本の棒状化粧料Ｍで被塗布部である眉毛Ｈの地肌Ｓに化粧料を塗布しながら、櫛の役目を果たすスリット６ｃによって眉毛Ｈを梳くことができる。
【００５１】
なお、本実施形態の棒状化粧料繰出容器１００によれば、以下の作用・効果も奏する。すなわち、複数本の棒状化粧料Ｍが、１個の共通の支持片１４ｃにより個別に支持されるため、支持部４ａの構成を簡易にできる。具体的には、一の支持片１４ｃは、一の棒状化粧料Ｍの外面の一部を支持する一の支持片面４ｊと、一の棒状化粧料Ｍに隣接する他の棒状化粧料Ｍの外面の一部を支持する他の支持片面４ｊと、を備えているため、一の支持片１４ｃは、隣接する複数の棒状化粧料Ｍを個別に支持でき、支持部４ａの構成を簡易にできる。
【００５２】
また、支持部４ａは、棒状化粧料Ｍのそれぞれが付き当てられる基部４ｄと、隣接する基部４ｄ，４ｄ同士を連結する連結部４ｅと、基部４ｄ及び連結部４ｅの外面から前方へ延出する複数の支持片４ｃ，１４ｃと、を備え、基部４ｄは、棒状化粧料孔１ｃを進退し、支持片４ｃ，１４ｃ及び連結部４ｅは、支持部孔１ｎを進退する構成で、基部４ｄ，４ｄ同士が連結部４ｅにより互いに連結されているため、支持部４ａの強度を上げることが可能となっている。
【００５３】
また、開口１ｂを、複数の棒状化粧料孔１ｃ同士間に隙間を持って繋がる構成としているため、棒状化粧料Ｍ同士を限りなく近接（棒状化粧料Ｍ同士が接触しない程度に隙間が空いている状態に）できることになり、眉毛Ｈの地肌Ｓに塗布する際に、密に化粧料を塗布することができる。なお、棒状化粧料Ｍ同士が接触し１つの棒状化粧料としての塗布となると、ベタ塗りのような仕上がりとなってしまうことがあるが、上述のように棒状化粧料Ｍ同士の間に隙間が介在しているため、ベタ塗り感が生じることを防止できる。なお、棒状化粧料孔１ｃ同士が繋がっておらず各々が分けられている場合には、連結部４ｅに仕切り板等が必要となる。因みに、先筒１を金型成形する際は、開口１ｂの部分を成形するのにコアピンを使用するが、複数の棒状化粧料孔１ｃ同士間に隙間を持って繋がっている開口１ｂを成形する際には一本の太いコアピンを使用することができ、コアピンの強度を強くすることができるのでより好適である。
【００５４】
また、複数の棒状化粧料Ｍを、別個違う色とすると、均一な色をしていない色むらを被塗布部に容易に形成できる。
【００５５】
なお、１本の細い棒状化粧料（アイブロウ）で眉毛Ｈの地肌Ｓに化粧を施す場合には、化粧を施すのに時間を要し、１本の太い棒状化粧料で眉毛Ｈの地肌Ｓに化粧を施す場合には、塗り潰したような感じになってしまい、細かい繊細な化粧を施すのに技術及び時間を要する。しかしながら、本実施形態によれば、複数本の棒状化粧料を同時に使用できるため、自然に抜けている感じの塗布隙間を容易に生じせしめることができ、自然感を出しつつ繊細且つ綺麗な塗布を短時間で行うことができる。因みに、例えば眉尻のように細いところを描く場合には、複数本のうち１本の棒状化粧料を使用すれば良い。
【００５６】
また、本実施形態によれば、棒状化粧料Ｍを容器内に没入できるため、液状化粧料押出容器のような揮発防止用のキャップが必要なく、液状化粧料押出容器に比して容器のコンパクト化を図ることができる。
【００５７】
なお、上記実施形態において、支持部４ａの連結部４ｅをなくし、中央の支持片１４ｃにおいて基部側の内周面を、基部４ｄの外周面にそれぞれ連結すると共に、支持片１４ｃを基部４ｄから前方へ延出させ、当該延出部分で棒状化粧料Ｍの後部を周囲から支持するようにしても良い。この場合には、先筒１において連結部孔はなくても良い。また、連結部４ｅをなくし、中央の上下のそれぞれの支持片１４ｃの基部側を、それぞれ上下の相手側の支持片１４ｃへ延ばし互いに連結して略半円状の内周面を背中合わせに有する支持片に変更し、当該支持片の略半円状の内周面を、基部４ｄの外周面にそれぞれ連結し、基部４ｄで上下に一体化した略半円状の内周面を有する支持片を前方へ延出させ、当該延出部分のそれぞれで、隣接する棒状化粧料Ｍの後部を周囲からそれぞれ支持するようにしても良い。
【００５８】
図１３は、本発明の第２実施形態に係る棒状化粧料繰出容器の先筒の突出部の斜視図、図１４は、突出部の平面図、図１５は、先筒を使用時に正面から見た図であり、突出部の位置で切った横断面図、図１６は、突出部から突出する棒状化粧料を被塗布部に塗布する際の動作説明図である。
【００５９】
この第２実施形態の棒状化粧料繰出容器が、第１実施形態の棒状化粧料繰出容器と違う点は、図１３〜図１５に示すように、突出部６が、先筒１の先端に、隙間Ｄを介して一対が対向して設けられている、より具体的には、複数の棒状化粧料Ｍの並設方向に直交する方向の両側に、前方へ突出する突出部６，６が隙間Ｄを介して設けられている点である。
なお、突出部６，６は、隙間Ｄを介して対向するため、隙間Ｄを設ける分、突出部６の溝部６ａは、第１実施形態の略半円に比してその左右端を短くした円弧となっている（図１５参照）。
【００６０】
このような第２実施形態にあっても、第１実施形態と同様な作用・効果を奏するのはいうまでもなく、加えて、図１６に示すように、塗布の際に、何れの突出部６が、複数の棒状化粧料Ｍを間に介し被塗布部Ｓとは反対側に位置していても良いため、塗布時に表裏がなく、複数本の棒状化粧料Ｍで被塗布部（地肌）Ｓに化粧料を塗布しながら、被塗布部Ｓ側とは反対側（図示上側）の突出部６のスリット６ｃにより毛髪を梳くことができ、使い勝手が良い。
【００６１】
図１７は、本発明の第３実施形態に係る棒状化粧料繰出容器の先筒の突出部の斜視図、図１８は、突出部の平面図、図１９は、先筒を使用時に正面から見た図であり、突出部の位置で切った横断面図である。
【００６２】
この第３実施形態の棒状化粧料繰出容器が、第１実施形態の棒状化粧料繰出容器と違う点は、溝部６ａ，６ａ同士間にスリット６ｃを有する突出部６に代えて、図１７〜図１９に示すように、溝部６ａ，６ａ同士間に凸部１６ｃを有する突出部１６を用いた点である。
【００６３】
突出部１６の凸部１６ｃは、溝部６ａ，６ａ同士の間で、突出部１６の先端から後方へ向かって延在し、溝部６ａに進入した棒状化粧料Ｍの高さ以上に突出する凸部となっている。この凸部１６ｃは、略半円状の溝部６ａ，６ａ同士を繋いでいる部分を、さらに突出させた形状を呈している。
【００６４】
そして、使用にあたっては、使用者により複数本の棒状化粧料Ｍを突出部１６の先端から塗布に最適な長さ分、前方へ繰り出し、第１実施形態と同様に、突出部１６が、図１９に示すように、複数本の棒状化粧料Ｍを間に介し被塗布部である眉毛Ｈの地肌Ｓとは反対側に位置するようにして斜めにし、突出部１６の先端から前方へ突出している部分である棒状化粧料Ｍ１を、眉毛Ｈの地肌Ｓに近付けていく。
【００６５】
すると、凸部１６ｃが眉毛Ｈに進入し、棒状化粧料繰出容器１００を引くように（ずらして）移動させていくことにより、凸部１６ｃにより眉毛Ｈを分け梳きながら、棒状化粧料Ｍ１を被塗布部である眉毛Ｈの地肌Ｓに押し付け、化粧料を塗布する。
【００６６】
このとき、棒状化粧料Ｍに対しては、第１実施形態と同様に、押圧方向とは反対方向に反力が作用するが、棒状化粧料Ｍは、それぞれ進入している溝部６ａの内面６ｂに各々当接し折れないように受けられる。
【００６７】
このような第３実施形態にあっても、第１実施形態と同様な作用・効果を奏する。具体的には、第１実施形態と同様に、容器内に、支持部４ａに設けられた複数の支持片４ｃ，１４ｃにより複数本の棒状化粧料Ｍが並設支持されると共に、当該複数本の棒状化粧料Ｍは支持部４ａと共に軸線方向に同時に進退し、先筒１の先端の開口１ｂから複数本の棒状化粧料Ｍが出没可能とされ、突出部６を通して塗布に供されるようになっている。従って、塗布部である眉毛Ｈの地肌Ｓに化粧料を塗布する際に、複数本の棒状化粧料Ｍにより効率的に化粧料を塗布できると共に、例えば１本の棒状化粧料Ｍにより選択的に細やかな化粧を施すこともでき、しかも、液状化粧料のような化粧料の目詰まり等がなく化粧料がかすれずに常時良好に塗布でき、加えて、複数本の棒状化粧料Ｍを有しているにもかかわらず、持ち運びが便利であり、且つ、複数本の棒状化粧料Ｍの繰り出し／繰り戻しができ使い勝手が良い棒状化粧料繰出容器を提供できる。
【００６８】
特に、本実施形態によれば、先筒１の先端において複数本の棒状化粧料Ｍの並設方向に直交する方向の片側に、前方へ突出する突出部１６を備え、突出部１６は、開口１ｂから出没する複数本の棒状化粧料Ｍの進退を可能とする溝部６ａをそれぞれ有しており、突出部１６の先端より前方へ位置する複数の棒状化粧料Ｍ１によって被塗布部である眉毛Ｈの地肌Ｓに塗布する場合にあっては、突出部１６は、複数の棒状化粧料Ｍを間に介し被塗布部である眉毛Ｈの地肌Ｓとは反対側に位置した状態での使用となるため、複数の棒状化粧料Ｍは、それぞれが進入している突出部１６の溝部６ａの内面６ｂに当接し受けられ保護されることになり、棒状化粧料Ｍの芯折れを防ぐことができる。なお、棒状化粧料Ｍは、突出部１６の溝部６ａの略半円状の内面６ｂにより受けられるため、横ぶれ（図１の上下方向のぶれ）にも強くなっている。
【００６９】
また、特に本実施形態によれば、複数の棒状化粧料Ｍによって被塗布部である眉毛Ｈの地肌Ｓを塗布する際に、上記のように複数の棒状化粧料Ｍは突出部１６により受けられ保護されるため、突出部１６の突出長さ分Ｌ、複数の棒状化粧料Ｍを開口１ｂから余分に繰り出すことができる。その結果、先筒１の先端を被塗布部である眉毛Ｈの地肌Ｓに接触しない程度に離間する（斜めに浮かす）ことができ、塗布がしやすくなる。
【００７０】
なお、先筒１の先端に突出部１６がない場合には、第１実施形態で説明したのと同様に、塗布の際に、先筒１の先端と被塗布部である眉毛Ｈの地肌Ｓが近接して接触し、塗布がし難くなるという問題があるが、本実施形態では、突出部１６を設けているため、棒状化粧料Ｍを余分に繰り出せることができ、先筒１の先端が地肌Ｓから離れ、塗布がし難いというような問題は解消されている。
【００７１】
また、特に本実施形態によれば、突出部１６の溝部６ａ，６ａ同士の間に当該突出部１６の先端から後方へ向かって延在し、溝部６ａに進入した棒状化粧料Ｍの高さ以上に突出する凸部１６ｃを設けているため、凸部１６ｃが櫛の役目を果たし眉毛Ｈを分け梳きながら、複数本の棒状化粧料Ｍで被塗布部である眉毛Ｈの地肌Ｓに化粧料を塗布できる。
【００７２】
なお、突出部１６の凸部１６ｃは、溝部６ａに進入した棒状化粧料Ｍの高さと同じであっても、上記と同様に、当該凸部１６ｃによって、眉毛Ｈを分け梳きながら、複数の棒状化粧料Ｍで地肌Ｓに化粧料を塗布できる。
【００７３】
因みに、突出部１６において複数の棒状化粧料Ｍの並設方向の両端部であって両端の溝部６ａに隣接する部分も、溝部６ａに進入した棒状化粧料Ｍの高さ以上に突出する凸部１６ｃとしても良い。
【００７４】
なお、前述したのと同様に、一の支持片１４ｃにより、隣接する複数の棒状化粧料Ｍを個別に支持し、支持部４ａの構成を簡易にできる作用・効果、また、基部４ｄ，４ｄ同士を連結部４ｅにより互いに連結し、支持部４ａの強度を上げる作用・効果、また、開口１ｂを、複数の棒状化粧料孔１ｃ同士間に隙間を持って繋がる構成とし、棒状化粧料Ｍ同士を限りなく近接させて、眉毛Ｈの地肌Ｓに塗布する際に、ベタ塗りではなく密に化粧料を塗布できると共に、開口１ｂを成形する際のコアピンの強度を強くできる作用・効果等、他の作用・効果も、第１実施形態と同様に奏することができるというのはいうまでもない。
【００７５】
以上、本発明をその実施形態に基づき具体的に説明したが、本発明は上記実施形態に限定されるものではなく、例えば、上記実施形態においては、特に好適であるとして、塗布の際に比較的折れやすい細い棒状化粧料Ｍに対する適用を述べているが、上記より太い棒状化粧料に対しても勿論適用できる。
【００７６】
また、上記実施形態においては、特に溝部６ａの内面６ｂ全体で棒状化粧料Ｍを受けることができるとして、溝部６ａを棒状化粧料Ｍの形状に合う略半円状の内面としていが、例えば、コの字状の凹形状とし、当該コの字の底面（内面）で棒状化粧料を受けるようにしても良い。
【００７７】
また、上記実施形態においては、作用・効果が前述したように特に顕著だとして、眉毛Ｈの地肌Ｓに塗布し眉毛Ｈを梳くアイブロウが好適であるとしているが、塗布しながら睫毛を梳くマスカラや、塗布しながら梳くことができる毛染め用としても用いることができ、要は、塗布しながら眉毛、睫毛等の毛髪（人の毛の総称）を梳くものに対して適用できる。
【００７８】
また、上記実施形態においては、棒状化粧料を、円柱形状としているが、例えば、四角柱形状、三角柱形状、楕円断面形状、雫断面形状、猫目断面形状等を始めとした非円形断面形状の棒状化粧料に対しても適用できる。この場合には、棒状化粧料の形状に合わせて突出部の溝部や支持部や進退孔の形状も変更することになる。特に、棒状化粧料を四角柱形状とした場合には、突出部の溝部をコの字状の凹形状とし、当該コの字の底面（内面）に棒状化粧料が当接するのが好ましい。また、支持部は、支持片のない例えば口紅の場合のように有底筒形状であっても良い。さらに、棒状化粧料の太さは、ばらばらであっても良く、この場合には、太さに合わせて突出部の溝部や支持部や進退孔も変更することになる。
【００７９】
また、上記実施形態において雄螺子、雌螺子は、間欠的に配される突起群又は螺旋状且つ間欠的に配される突起群のように螺子山と同様な働きをするものであれば良く、また、螺合突起は、連続する螺子山であっても良い。
【００８０】
なお、上記実施形態の棒状化粧料繰出容器１００を棒状化粧料カートリッジとして使用することも可能である。この場合、上記棒状化粧料カートリッジ１００を、有底円筒状で長尺なカートリッジ収容容器に対して、その後半部を内挿し使用することになる。具体的には、回転方向に係合可能な係合部として、例えば、カートリッジ収容容器の内周面に、軸線方向へ延びる突条を周方向に沿って複数配設すると共に、前後方向へ延びカートリッジ収容容器の突条同士の間に進入して回転方向に係合する突条を、棒状化粧料カートリッジ１００を構成するホルダ筒２の外周面に周方向に沿って複数配設する。また、例えば、軸線方向に係合可能な係合部として、例えば、カートリッジ収容容器の内周面に、円環状の凹部又は凸部を配設すると共に、ホルダ筒２の外周面に、カートリッジ収容容器の凹部又は凸部が進入する凸部又は凹部を形成する。そして、棒状化粧料カートリッジ１００を、その後端部から、カートリッジ収容容器へ内挿し、回転方向に係合する上記係合部同士により、ホルダ筒２をカートリッジ収容容器に対して同期回転可能とすると共に、軸線方向に係合する上記係合部同士により、ホルダ筒２をカートリッジ収容容器に対して着脱可能（若しくは着脱不能）に連結した棒状化粧料繰出容器とすることもできる。この場合、ホルダ筒２及びカートリッジ収容容器が、容器後部を構成することになる。また、係合部の構成は、上記突条や、凹凸部に限定されるものではない。
【符号の説明】
【００８１】
１…先筒（容器前部）、１ｂ…開口、１ｃ…棒状化粧料孔、１ｒ…進退孔、２…ホルダ筒（容器後部）、３…継ぎ具（容器前部）、４…棒状化粧料支持体（移動体）、４ａ…支持部、４ｉ…雄螺子、５…雌螺子部材、５ｉ…雌螺子、６…突出部、６ａ…溝部、６ｂ…内面、６ｃ…スリット、１６ｃ…凸部、１００…棒状化粧料繰出容器、Ｄ…隙間、Ｍ…棒状化粧料（アイブロウ）。
【図１】
2020058465.tif 000003
【図２】
2020058465.tif 000004
【図３】
2020058465.tif 000005
【図４】
2020058465.tif 000006
【図５】
2020058465.tif 000007
【図６】
2020058465.tif 000008
【図７】
2020058465.tif 000009
【図８】
2020058465.tif 000010
【図９】
2020058465.tif 000011
【図１０】
2020058465.tif 000012
【図１１】
2020058465.tif 000013
【図１２】
2020058465.tif 000014
【図１３】
2020058465.tif 000015
【図１４】
2020058465.tif 000016
【図１５】
2020058465.tif 000017
【図１６】
2020058465.tif 000018
【図１７】
2020058465.tif 000019
【図１８】
2020058465.tif 000020
【図１９】
2020058465.tif 000021